(57)【要約】【課題】簡易に強度アップを図りながら、指が入りやすい取手孔を形成できる手提げ袋を提供する。【解決手段】筒状のフィルム１の幅方向の両側がガゼット折りされ、長手方向の両側縁が溶着によって封止され、フィルム１の上面中央が長手方向に沿って切開されて、出し入れ口３が形成され、フィルム１の長手方向の両側縁中央に切り欠き４が形成される。一対のテープ５が出し入れ口３の両側の端縁に沿って長手方向一側の切り欠き４から他側の切り欠き４にかけて設けられ、テープ５はフィルム１の上面裏側に配され、取手孔６が各テープ５の幅方向外側の端縁に沿って長手方向に長く形成される。【選択図】図１
0003231366.tif 000002
【実用新案登録請求の範囲】
【請求項１】
筒状のフィルムの幅方向の両側がガゼット折りされ、長手方向の両側縁が溶着によって封止され、フィルムの上面中央が長手方向に沿って切開されて、出し入れ口が形成され、フィルムの長手方向の両側縁中央に切り欠きが形成された手提げ袋であって、一対のテープが出し入れ口の両側の端縁に沿って長手方向一側の切り欠きから他側の切り欠きにかけて設けられ、テープはフィルムの上面裏側に配され、取手孔が各テープの幅方向外側の端縁に沿って長手方向に長く形成されたことを特徴とする手提げ袋。
【請求項２】
テープは、フィルムの上面に長手方向にわたってスポット的に熱溶着されたことを特徴とする請求項１記載の手提げ袋。
【考案の詳細な説明】
【技術分野】
【０００１】
本考案は、食品等を収容した容器をフラットな状態で持ち運びできる手提げ袋に関する。
【背景技術】
【０００２】
寿司等の食品を収容した扁平形状の容器を安定した姿勢で持ち運べるようにした合成樹脂製手提げ袋が特許文献１に記載されている。この手提げ袋では、厚肉部と薄肉部とを有する筒状フィルムを用い、薄肉部の両側をガゼット折りし、厚肉部の上面を長手方向に開口して収納口とし、収納口を挟んで厚肉部の幅方向両側に取手孔が形成されている。
【先行技術文献】
【特許文献】
【０００３】
【特許文献１】特許第２５４１７２８号公報
【考案の概要】
【考案が解決しようとする課題】
【０００４】
取手孔が小さいと、取手孔に指が入りにくく、収納口を開くのが困難となる。また、強度アップのために一部が厚くなったフィルムを製造しなければならず、コストアップとなる。
【０００５】
本考案は、上記に鑑み、簡易に強度アップを図りながら、指が入りやすい取手孔を形成できる手提げ袋の提供を目的とする。
【課題を解決するための手段】
【０００６】
本考案の手提げ袋は、筒状のフィルムの幅方向の両側がガゼット折りされ、長手方向の両側縁が溶着によって封止され、フィルムの上面中央が長手方向に沿って切開されて、出し入れ口が形成され、フィルムの長手方向の両側縁中央に切り欠きが形成された手提げ袋であって、一対のテープが出し入れ口の両側の端縁に沿って長手方向一側の切り欠きから他側の切り欠きにかけて設けられ、テープはフィルムの上面裏側に配され、取手孔が各テープの幅方向外側の端縁に沿って長手方向に長く形成される。テープは、フィルムの上面に長手方向にわたってスポット的に熱溶着される。
【０００７】
出し入れ口の端縁がテープによって補強されることにより、取手孔が大きく形成され、取手孔に指が入れやすくなる。また、出し入れ口が開口しやすくなり、容器をスムーズに手提げ袋に入れることができる。手提げ袋を持ち運ぶとき、荷重が出し入れ口の両端縁に均等にかかり、容器が安定する。
【考案の効果】
【０００８】
本考案によると、テープで出し入れ口の端縁を補強することにより、取手孔を大きく形成することができる。これにより、取手孔に指を入れやすくなり、手提げ袋が持ちやすくなる。また、出し入れ口の端縁の強度が上がるので、出し入れ口を容易に開くことができる。
【図面の簡単な説明】
【０００９】
【図１】本考案の実施形態の手提げ袋の平面図
【図２】図１のＡ−Ａ断面図
【図３】図１のＢ−Ｂ断面図
【図４】手提げ袋の使用状態を示す図
【考案を実施するための形態】
【００１０】
本考案の実施形態に係る手提げ袋を図１〜３に示す。筒状の高密度ポリエチレン（ＨＤＰＥ）製フィルム１の幅方向の両側がガゼット折りされ、長手方向の両側縁が溶着によって封止された封止部２とされ、フィルム１の上面中央が長手方向に沿って切開されて、出し入れ口３が形成される。
【００１１】
フィルム１の長手方向の両側縁中央に、型抜きによって切り欠き４が形成される。切り欠き４は、長手方向の端縁から中央側に向かって略台形状に切り欠かれる。切り欠き４により、封止部２が切り落とされ、出し入れ口３が開きやすくなる。切り欠き４の外端縁の開口幅は中央側の開口幅より小とされ、出し入れ口３が開いたときの強度アップが図られる。切り欠き４の中央側の開口縁は、幅方向外側に向かって少し膨らんだ形状とされる。なお、切り欠き４は外端縁に向かって少し狭まるように形成してもよい。
【００１２】
一対の補強用のテープ５が出し入れ口３の両側の端縁に沿って長手方向に設けられる。フィルム１と同じ基材を使用したテープ５は、長手方向一側の切り欠き４から他側の切り欠き４にかけてフィルム１の上面裏側に配される。
【００１３】
テープ５はフィルム１に長手方向にわたってスポット的に熱溶着される。熱溶着でできるスポットＳは、幅方向に２列で定ピッチで並んでいる。このように熱溶着することにより、出し入れ口３の端縁がテープ５により補強される。なお、熱溶着のスポットＳのピッチを部分的に可変してもよく、荷重がかかる部分では、ピッチを狭くして、強度を高めるようにしてもよい。
【００１４】
フィルム１の上面中央の出し入れ口３を挟んで幅方向の両側に、各テープ５の幅方向外側の端縁に沿って一対の取手孔６が型抜きによって形成される。各取手孔６は、長手方向に細長く形成される。テープ５の幅は取手孔６の幅方向の長さよりも大とされる。両側の取手孔６に挟まれたテープ５とフィルム１が重なった部分が取手７となる。このように、フィルム１の中央部分をテープ５で補強することにより、取手孔６を大きく抜くことができる。そして、取手孔６よりも長手方向の外側寄りにテープ５が斜めに溶着された傾斜ライン８が形成され、取手７が補強される。
【００１５】
取手孔６における幅方向の長さと長手方向の長さの比率は、１：６〜７とされる。フィルム１の長手方向の長さに対する取手孔６の長手方向の長さの比率は、１：２．８〜３とされる。なお、従来では、この比率は、１：４〜５である。このように、取手孔６が長手方向に長く形成されることにより、手よりも幅広い開口とすることができ、指が入りやすくなる。
【００１６】
食品等を収容した容器１０を手提げ袋に入れるとき、取手孔６から指を入れて取手７を広げると、出し入れ口３の両側の端縁に取り付けられたテープ５が引っ張られ、出し入れ口３が大きく開く。取手孔６が大きく形成されているので、指を入れやすくなる。また、出し入れ口３がテープ５で補強されているので、容易に出し入れ口３を開くことができる。
【００１７】
図４に示すように、手提げ袋を持ち運ぶとき、取手７を持つと、荷重が出し入れ口３の両端縁に均等にかかる。そのため、容器１０が傾かず、安定して持ち運ぶことができる。また、テープ５をスポット的に熱溶着することにより、テープ５とフィルム１との間に隙間ができ、取手６を持ったときに荷重に応じてそれぞれがずれて、手になじみやすくなる。
【００１８】
なお、本考案は、上記実施形態に限定されるものではなく、本考案の範囲内で上記実施形態に多くの修正および変更を加え得ることは勿論である。テープ５の材質を例えば低密度ポリエチレン（ＬＤＰＥ）、あるいは低密度ポリエチレンと高密度ポリエチレンの混合物としてもよい。これにより、取手７を持ったときの触感を変えることができる。また、テープ５をフィルム１とは異なる色あるいは模様としてもよい。これにより、取手７が目立つようになるので、取手７を掴みやすくなり、製品の意匠性が上がる。また、切り欠き４の形状は、矩形状に限らず、円弧状、波形、ハート形などとしてもよい。
【符号の説明】
【００１９】
１    フィルム
２    封止部
３    出し入れ口
４    切り欠き
５    テープ
６    取手孔
７    取手
８    傾斜ライン
１０    容器
【図１】
0003231366.tif 000003
【図２】
0003231366.tif 000004
【図３】
0003231366.tif 000005
【図４】
0003231366.tif 000006